(57)【要約】【課題】サーバに直接的に通信することができないＩＣカードの接続情報をサーバで管理できるようにする。【解決手段】ＩＣカード１ａが挿入された携帯電話２ａとＩＣカード１ｂが挿入された携帯電話２ｂとの間で直接通信を行う際に、ＩＣカード１ａ，１ｂ間で相互認証を行い、相互にＩＤおよび接続情報を通知する。そして、サーバ３へ接続可能な方のＩＣカード１により、サーバ３と相互認証を行い、他のＩＣカードのＩＤと接続情報をサーバ３へ通知する。この構成により、他のＩＣカードがサーバ３に直接的に通信できない状態であったとしても、当該他のＩＣカードのＩＤと接続情報をサーバ３で管理できるようにする。【選択図】　　　図１
2004013731.tif 000002
【特許請求の範囲】
【請求項１】
ＩＣカードと当該ＩＣカードが接続される端末装置と当該端末装置にネットワークを介して接続可能なサーバとを備えたＩＣカードの接続情報管理システムであって、
前記ＩＣカードは、当該ＩＣカードのＩＤおよび接続情報を前記他のＩＣカードに通知する第１通知手段と、
前記他のＩＣカードから当該他のＩＣカードのＩＤおよび接続情報の通知を受け付ける受付手段と、
当該ＩＣカード又は他のＩＣカードのうちの少なくとも一方のＩＤおよび接続情報を前記サーバに通知する第２通知手段と、を有し、
前記サーバは、ＩＣカードから通知されたＩＤおよび接続情報を対応付けて記憶する記憶手段を有することを特徴とするＩＣカードの接続情報管理システム。
【請求項２】
前記第１通知手段は、前記他のＩＣカードと相互認証を行った後に前記通知を行うことを特徴とする請求項１記載のＩＣカードの接続情報管理システム。
【請求項３】
前記第２通知手段は、前記サーバと相互認証を行った後に前記通知を行うことを特徴とする請求項１又は２記載のＩＣカードの接続情報管理システム。
【請求項４】
前記ＩＣカードは、他のＩＣカードについての接続情報をそのＩＤを特定して前記サーバに要求する要求手段と、
要求した接続情報を前記サーバから取得する取得手段と、を有し、
前記サーバは、前記記憶手段に記憶されている接続情報の中から前記要求で特定されたＩＤに対応する接続情報を検索する検索手段と、
検索された接続情報を要求元のＩＣカードに通知する通知手段と、を有することを特徴とする請求項１乃至３のいずれかに記載のＩＣカードの接続情報管理システム。
【請求項５】
前記要求手段は、前記サーバと相互認証をした後に前記要求を行うことを特徴とする請求項４記載のＩＣカードの接続情報管理システム。
【請求項６】
前記接続情報は、少なくともネットワーク番号を含むことを特徴とする請求項１乃至５のいずれかに記載のＩＣカードの接続情報管理システム。
【請求項７】
ネットワークを介してサーバに接続される端末装置に接続可能なＩＣカードにより、当該ＩＣカードのＩＤおよび接続情報を前記他のＩＣカードに通知する処理と、
前記他のＩＣカードから当該他のＩＣカードのＩＤおよび接続情報の通知を受け付ける処理と、
当該ＩＣカード又は他のＩＣカードのうちの少なくとも一方のＩＤおよび接続情報を前記サーバに通知する処理と、を実行し、
前記サーバにより、ＩＣカードから通知されたＩＤおよび接続情報を対応付けて記憶する処理を実行することを特徴とするＩＣカードの接続情報管理方法。
【請求項８】
前記ＩＣカードは、前記他のＩＣカードと相互認証を行った後に前記他のＩＣカードへの前記通知を行うことを特徴とする請求項７記載のＩＣカードの接続情報管理方法。
【請求項９】
前記ＩＣカードは、前記サーバと相互認証を行った後に前記サーバへの前記通知を行うことを特徴とする請求項７又は８記載のＩＣカードの接続情報管理方法。
【請求項１０】
前記ＩＣカードは、他のＩＣカードについての接続情報をそのＩＤを特定して前記サーバに要求する処理を実行し、
前記サーバは、記憶されている接続情報の中から前記要求で特定されたＩＤに対応する接続情報を検索する処理と、
検索された接続情報を要求元のＩＣカードに通知する処理と、を実行することを特徴とする請求項７乃至９のいずれかに記載のＩＣカードの接続情報管理方法。
【請求項１１】
前記ＩＣカードは、前記サーバと相互認証をした後に前記要求を行うことを特徴とする請求項１０記載のＩＣカードの接続情報管理方法。
【請求項１２】
前記接続情報は、少なくともネットワーク番号を含むことを特徴とする請求項７乃至１１のいずれかに記載のＩＣカードの接続情報管理方法。
【請求項１３】
ネットワークを介してサーバに接続される端末装置に接続可能なＩＣカードであって、
当該ＩＣカードのＩＤおよび接続情報を前記他のＩＣカードに通知する第１通知手段と、
前記他のＩＣカードから当該他のＩＣカードのＩＤおよび接続情報の通知を受け付ける受付手段と、
当該ＩＣカード又は他のＩＣカードのうちの少なくとも一方のＩＤおよび接続情報を前記サーバに通知する第２通知手段と、を有することを特徴とするＩＣカード。
【請求項１４】
前記第１通知手段は、前記他のＩＣカードと相互認証を行った後に前記通知を行うことを特徴とする請求項１３記載のＩＣカード。
【請求項１５】
前記第２通知手段は、前記サーバと相互認証を行った後に前記通知を行うことを特徴とする請求項１３又は１４記載のＩＣカード。
【請求項１６】
他のＩＣカードについての接続情報をそのＩＤを特定して前記サーバに要求する要求手段と、
要求した接続情報を前記サーバから取得する取得手段と、
を有することを特徴とする請求項１３乃至１５のいずれかに記載のＩＣカード。
【請求項１７】
前記要求手段は、前記サーバと相互認証をした後に前記要求を行うことを特徴とする請求項１６記載のＩＣカード。
【請求項１８】
前記接続情報は、少なくともネットワーク番号を含むことを特徴とする請求項１３乃至１７のいずれかに記載のＩＣカード。
【請求項１９】
ＩＣカードが接続される端末装置にネットワークを介して接続可能なサーバであって、
当該ＩＣカードからの当該ＩＣカード又は他のＩＣカードのうちの少なくとも一方のＩＤおよび接続情報の通知を受け付ける受付手段と、
受け付けたＩＤおよび接続情報を対応付けて記憶する記憶手段と、
を有することを特徴とするサーバ。
【請求項２０】
前記受付手段は、前記ＩＣカードと相互認証を行った後に前記通知を受け付けることを特徴とする請求項１９記載のサーバ。
【請求項２１】
ＩＣカードからの他のＩＣカードについてのＩＤを特定した上での接続情報の要求に対して、前記記憶手段に記憶されている接続情報の中からそのＩＤに対応する接続情報を検索する検索手段と、
検索された接続情報を要求元のＩＣカードに通知する通知手段と、
を有することを特徴とする請求項１９又は２０記載のサーバ。
【請求項２２】
前記ＩＣカードと相互認証を行った後に前記ＩＣカードからの前記要求を受け付けることを特徴とする請求項１９乃至２１のいずれかに記載のサーバ。
【請求項２３】
前記接続情報は、少なくともネットワーク番号を含むことを特徴とする請求項１９乃至２２のいずれかに記載のサーバ。
【発明の詳細な説明】
【０００１】
【発明の属する技術分野】
本発明は、ＩＣカード間で通信を行う際のＩＣカードのネットワーク上の接続情報を管理するＩＣカードの接続情報管理システム、接続情報管理方法、これに用いるＩＣカード、サーバに関する。
【０００２】
【従来の技術】
近年、固有のＩＤを持つＩＣカードが急速に普及しつつある。ＩＣカードは、利用者によって携帯電話の所定のスロットに挿入されたり、インターネットに接続されたパソコンに接続され、同じように他の携帯電話やパソコン等に接続された他のＩＣカードと通信ができるものである。
【０００３】
例えば、ＩＣカードが携帯電話に挿入された場合には電話番号を用いた通信が行われ、ＩＣカードが前述したパソコンに接続された場合にはＩＰアドレスを用いた通信が行われる。このようなＩＣカード間での通信を可能とするため、ＩＣカードが接続される携帯電話やパソコンといった端末装置では、通信先となる他のＩＣカードが接続される端末装置の電話番号やＩＰアドレスといった接続情報を予め登録しておくようになっていた。
【０００４】
【発明が解決しようとする課題】
しかしながら、このようなＩＣカードは、他のＩＣカードの接続先が、その利用者によって接続情報が異なる別の端末装置に変更された場合には、当該他のＩＣカードに対して予め登録されていた接続情報ではもはや通信を行うことができなくなるという問題があった。
【０００５】
この問題に対し、ＩＣカードが現在接続されている端末装置の接続情報を各ＩＣカードからサーバに通知してサーバで管理することが考えられる。ところが、ＩＣカードが直接的にサーバに通信できない場合には、そのＩＣカードの接続情報をサーバで管理することができないという問題があった。
【０００６】
本発明は、上記に鑑みてなされたものであり、その目的とするところは、サーバに直接的に通信することができないＩＣカードの接続情報をサーバで管理できるようにしたＩＣカードの接続情報管理システム、接続情報管理方法を提供することにある。
【０００７】
本発明の別の目的は、上記ＩＣカードの接続情報管理システム、接続情報管理方法に用いられるＩＣカード、サーバを提供することにある。
【０００８】
【課題を解決するための手段】
第１の本発明に係るＩＣカードの接続情報管理システムは、ＩＣカードと当該ＩＣカードが接続される端末装置と当該端末装置にネットワークを介して接続可能なサーバとを備えたＩＣカードの接続情報管理システムであって、前記ＩＣカードは、当該ＩＣカードのＩＤおよび接続情報を前記他のＩＣカードに通知する第１通知手段と、前記他のＩＣカードから当該他のＩＣカードのＩＤおよび接続情報の通知を受け付ける受付手段と、当該ＩＣカード又は他のＩＣカードのうちの少なくとも一方のＩＤおよび接続情報を前記サーバに通知する第２通知手段と、を有し、前記サーバは、ＩＣカードから通知されたＩＤおよび接続情報を対応付けて記憶する記憶手段を有することを特徴とする。
【０００９】
本発明にあっては、ＩＣカードに他のＩＣカードからＩＤおよび接続情報が通知された場合には、当該ＩＣカードがそのＩＤと接続情報をサーバへ通知するようにしたことで、他のＩＣカードがサーバに直接的に通信できない状態であっても、当該他のＩＣカードのＩＤと接続情報をサーバで管理することができる。
【００１０】
ここで、「端末装置」とは、携帯電話やパソコンなど、ＩＣカードが接続可能であってネットワークにも接続可能な装置のことをいう。また、「ネットワーク」には、電話網やインターネット等が含まれ、有線又は無線のいずれによるものも含まれる。また、「接続情報」とは、端末装置間での通信接続に用いられる情報のことをいう。
【００１１】
上記ＩＣカードの接続情報管理システムにおいて、前記第１通知手段は、前記他のＩＣカードと相互認証を行った後に前記通知を行うことを特徴とする。
【００１２】
本発明にあっては、ＩＣカード間でＩＤおよび接続情報を通知するときの通信接続に際して、ＩＣカード間で相互認証を行うようにしたことで、偽造されたＩＣカードからのＩＤと接続情報が通信されることを排除することができる。
【００１３】
上記各ＩＣカードの接続情報管理システムにおいて、前記第２通知手段は、前記サーバと相互認証を行った後に前記通知を行うことを特徴とする。
【００１４】
本発明にあっては、ＩＣカードからサーバへＩＤおよび接続情報を通知するときの通信接続に際して、ＩＣカードとサーバ間で相互認証を行うようにしたことで、偽造されたＩＣカードからのＩＤと接続情報がサーバで記憶されることを排除することができる。
【００１５】
上記ＩＣカードの接続情報管理システムにおいて、前記ＩＣカードは、他のＩＣカードについての接続情報をそのＩＤを特定して前記サーバに要求する要求手段と、要求した接続情報を前記サーバから取得する取得手段と、を有し、前記サーバは、前記記憶手段に記憶されている接続情報の中から前記要求で特定されたＩＤに対応する接続情報を検索する検索手段と、検索された接続情報を要求元のＩＣカードに通知する通知手段と、を有することを特徴とする。
【００１６】
本発明にあっては、サーバで各ＩＣカードのＩＤと接続情報とを対応付けて記憶しておき、ＩＣカードが、他のＩＣカードと通信する際に、通信先のＩＣカードの接続情報をそのＩＤを特定した上でサーバに要求することによって、通信先のＩＣカードの現在の接続情報を取得できるようにしたことで、通信先のＩＣカードが接続されている端末装置が過去に変更されたものだとしても、ＩＣカードは取得した接続情報を用いることによってその通信先のＩＣカードとの通信を行うことができる。
【００１７】
上記ＩＣカードの接続情報管理システムにおいて、前記要求手段は、前記サーバと相互認証をした後に前記要求を行うことを特徴とする。
【００１８】
本発明にあっては、ＩＣカードが、通信先のＩＣカードのＩＤおよび接続情報をサーバに要求する際に、当該ＩＣカードとサーバ間で相互認証を行うようにしたことで、偽造されたＩＣカードにＩＤおよび接続情報が漏洩することを防止することができる。
【００１９】
上記ＩＣカードの接続情報管理システムにおいて、前記接続情報は、少なくともネットワーク番号を含むことを特徴とする。
【００２０】
本発明は、ＩＣカードが他のＩＣカードと通信を行うために最小限必要な情報としてネットワーク番号を接続情報に含めることとしたものである。ここで、ネットワーク番号には、電話番号又はＩＰアドレスのうちの少なくとも一方が含まれる。例えば、サーバが接続されるネットワークが電話網であれば電話番号が含まれ、サーバがインターネットにもさらに接続されるのであればＩＰアドレスも含まれる。
【００２１】
第２の本発明に係るＩＣカードの接続情報管理方法は、ネットワークを介してサーバに接続される端末装置に接続可能なＩＣカードにより、当該ＩＣカードのＩＤおよび接続情報を前記他のＩＣカードに通知する処理と、前記他のＩＣカードから当該他のＩＣカードのＩＤおよび接続情報の通知を受け付ける処理と、当該ＩＣカード又は他のＩＣカードのうちの少なくとも一方のＩＤおよび接続情報を前記サーバに通知する処理と、を実行し、前記サーバにより、ＩＣカードから通知されたＩＤおよび接続情報を対応付けて記憶する処理を実行することを特徴とする。
【００２２】
上記ＩＣカードの接続情報管理方法において、前記ＩＣカードは、前記他のＩＣカードと相互認証を行った後に前記他のＩＣカードへの前記通知を行うことを特徴とする。
【００２３】
上記各ＩＣカードの接続情報管理方法において、前記ＩＣカードは、前記サーバと相互認証を行った後に前記サーバへの前記通知を行うことを特徴とする。
【００２４】
上記各ＩＣカードの接続情報管理方法において、前記ＩＣカードは、他のＩＣカードについての接続情報をそのＩＤを特定して前記サーバに要求する処理を実行し、前記サーバは、記憶されている接続情報の中から前記要求で特定されたＩＤに対応する接続情報を検索する処理と、検索された接続情報を要求元のＩＣカードに通知する処理と、を実行することを特徴とする。
【００２５】
上記各ＩＣカードの接続情報管理方法において、前記ＩＣカードは、前記サーバと相互認証をした後に前記要求を行うことを特徴とする。
【００２６】
上記各ＩＣカードの接続情報管理方法において、前記接続情報は、少なくともネットワーク番号を含むことを特徴とする。
【００２７】
第３の本発明に係るＩＣカードは、ネットワークを介してサーバに接続される端末装置に接続可能なＩＣカードであって、当該ＩＣカードのＩＤおよび接続情報を前記他のＩＣカードに通知する第１通知手段と、前記他のＩＣカードから当該他のＩＣカードのＩＤおよび接続情報の通知を受け付ける受付手段と、当該ＩＣカード又は他のＩＣカードのうちの少なくとも一方のＩＤおよび接続情報を前記サーバに通知する第２通知手段と、を有することを特徴とする。
【００２８】
上記ＩＣカードにおいて、前記第１通知手段は、前記他のＩＣカードと相互認証を行った後に前記通知を行うことを特徴とする請求項１３記載のＩＣカード。
【００２９】
上記各ＩＣカードにおいて、前記第２通知手段は、前記サーバと相互認証を行った後に前記通知を行うことを特徴とする。
【００３０】
上記各ＩＣカードは、他のＩＣカードについての接続情報をそのＩＤを特定して前記サーバに要求する要求手段と、要求した接続情報を前記サーバから取得する取得手段と、を有することを特徴とする。
【００３１】
上記各ＩＣカードにおいて、前記要求手段は、前記サーバと相互認証をした後に前記要求を行うことを特徴とする。
【００３２】
上記各ＩＣカードにおいて、前記接続情報は、少なくともネットワーク番号を含むことを特徴とする。
【００３３】
第４の本発明に係るサーバは、ＩＣカードが接続される端末装置にネットワークを介して接続可能なサーバであって、当該ＩＣカードからの当該ＩＣカード又は他のＩＣカードのうちの少なくとも一方のＩＤおよび接続情報の通知を受け付ける受付手段と、受け付けたＩＤおよび接続情報を対応付けて記憶する記憶手段と、を有することを特徴とする。
【００３４】
上記サーバにおいて、前記受付手段は、前記ＩＣカードと相互認証を行った後に前記通知を受け付けることを特徴とする。
【００３５】
上記各サーバは、さらにＩＣカードからの他のＩＣカードについてのＩＤを特定した上での接続情報の要求に対して、前記記憶手段に記憶されている接続情報の中からそのＩＤに対応する接続情報を検索する検索手段と、検索された接続情報を要求元のＩＣカードに通知する通知手段と、を有することを特徴とする。
【００３６】
上記各サーバは、前記ＩＣカードと相互認証を行った後に前記ＩＣカードからの前記要求を受け付けることを特徴とする。
【００３７】
上記各サーバにおいて、前記接続情報は、少なくともネットワーク番号を含むことを特徴とする。
【００３８】
【発明の実施の形態】
以下、本発明の実施の形態について図面を用いて説明する。
【００３９】
図１は、一実施の形態に係るＩＣカードの接続情報管理システムの構成を示すブロック図である。ＩＤが００１のＩＣカード１ａは、携帯電話２ａに挿入され、ＩＤが００３のＩＣカード１ｂは、携帯電話２ｂに挿入される。携帯電話２ａ，２ｂは無線通信により電話網５に通信接続され、サーバ３は例えば電話回線により電話網５に接続される。
【００４０】
ＩＣカード１は、接続された携帯電話２を通じ、携帯電話やパソコンに接続された他のＩＣカードと通信を行うことができるものである。その構成としては、接続された携帯電話２から当該携帯電話の接続情報を受信する受信部と、他のＩＣカードと相互認証をした後に当該ＩＣカード１のＩＤと接続情報を他のＩＣカードへ通知する通知部と、他のＩＣカードから通知されてきたＩＤと接続情報を受け付ける受付部と、サーバ３と相互認証をした後に当該ＩＣカード１あるいは他のＩＣカードのＩＤおよび接続情報をサーバ３に通知する通知部と、サーバ３と相互認証した後に通信しようとするＩＣカードの接続情報をそのＩＤを特定してサーバ３へ要求する要求部と、要求した接続情報をサーバ３から取得する取得部を有する。各部の処理については、専用のＬＳＩで実行してもよいし、所定の内蔵メモリにダウンロードされたプログラムで実行するようにしてもよい。
【００４１】
携帯電話２は、当該携帯電話２に接続されたＩＣカード１に対して、当該端末装置の接続情報を通知する通知部と、他の端末装置と直接通信をする通信部と、他のＩＣカードのＩＤを予め格納しておく格納部と、通信先のＩＣカードのＩＤを格納部から読み出してＩＣカード１に通知する通知部を有する。各部の処理については、専用のＬＳＩで実行するようにしてもよいし、所定の内蔵メモリにダウンロードされたプログラムで実行するようにしてもよい。
【００４２】
サーバ３は、ＩＣカード１から通知された当該ＩＣカード１あるいは他のＩＣカードのＩＤと接続情報とを対応させて記憶するデータベース４と、ＩＣカード１からの要求に応じてデータベース４に記憶されている接続情報を検索する検索部と、検索により得られた接続情報を要求元のＩＣカード１へ通知する通知部を有する。サーバ３は、例えば計算機で構成され、各部の処理はプログラムによって実行される。
【００４３】
次に、ＩＣカード１がそのＩＤと接続情報（ここでは電話番号）をサーバ３に記憶させるときの処理の一例について図２を用いて説明する。この処理に入る前に、携帯電話２ａは、予め当該携帯電話の接続情報をＩＣカード１ａに通知し、携帯電話２ｂも同様に当該携帯電話の接続情報をＩＣカード１ｂに通知しておく。
【００４４】
本処理では、まず、携帯電話２ａと携帯電話２ｂは本来の何らかの通信を行うために直接通信を開始する（ｄ１）。この直接通信は、例えば赤外線通信により行う。続いて、ＩＣカード１ａとＩＣカード１ｂ間で、相互認証を行い、通信相手が管理対象であり偽造されたＩＣカードではないことを確認する（ｄ２）。この相互認証の処理には、例えばＰＫＩと呼ばれる手法を用いる。この手法では、所定の発行元が発行した証明書情報をＩＣカード１ａとＩＣカード１ｂにそれぞれ登録しておき、これらを照合することによって互いに認証を行う。
【００４５】
相互認証の後、ＩＣカード１ａは、当該ＩＣカードのＩＤおよび接続情報をＩＣカード１ｂに通知する（ｄ３）。また、ＩＣカード１ｂも同様に当該ＩＣカードのＩＤおよび接続情報をＩＣカード１ａに通知する。そして、ＩＣカード１ａとＩＣカード１ｂ間での本来の通信を行った後、両ＩＣカード１ａ，１ｂ間の通信を終了し、携帯電話２ａ，２ｂ間の直接通信を終了する（ｄ４）。
【００４６】
この後、サーバ３へ通信可能な方のＩＣカード１は、相手のＩＣカードから受け付けたＩＤおよび接続情報をサーバ３へ通知する処理を行う。ここでは、一例として、ＩＣカード１ａの携帯電話１ａが通信圏外のためサーバ３と通信が不能であり、ＩＣカード１ｂだけがサーバ３との通信が可能である場合について説明する。
【００４７】
ＩＣカード１ｂは、サーバ３へ通信接続し（ｄ５）、サーバ３と相互認証を行う（ｄ６）。この相互認証の処理では、例えば所定の発行元が発行した証明書情報をサーバ３でも登録しておき、ｄ２と同様の処理を行う。相互認証の後、ＩＣカード１ｂは、ＩＣカード１ａのＩＤおよび接続情報をＩＣカード１ａに代わってサーバ３へ通知する（ｄ７）。また、ＩＣカード１ｂは、自身のＩＤおよび接続情報についてもｄ５〜ｄ７の処理と同様の処理を予め行うことによってサーバ３へ通知しておく。
【００４８】
サーバ３は、ＩＣカード１ｂから送信されてきたＩＣカード１ａのＩＤと接続情報を対応付けてデータベース４に記憶する（ｄ８）。また、サーバ３は、ＩＣカード１ｂから当該ＩＣカード１ｂのＩＤと接続情報を直接受信した場合には、そのＩＤと接続情報についても対応付けてデータベース４に記憶する。なお、この記憶の処理では、ＩＣカード１について接続情報を初めて記憶する場合には登録を行い、２回目以降の場合には更新を行うようにしてもよい。上記ｄ１〜ｄ８の処理は、電話網５に接続された全てのＩＣカード１について実行される。
【００４９】
次に、ＩＣカード１ｂが他のＩＣカードと通信を行うときの処理の一例について図３を用いて説明する。
【００５０】
携帯電話２ｂは、ＩＣカード１ｂが他のＩＣカードと通信を行う必要があるときに、ＩＣカード１ｂに対して、予め格納されている通信先のＩＣカードのＩＤを通知する（ｄ１１）。
【００５１】
ＩＤを受信したＩＣカード１ｂは、サーバ３に接続し（ｄ１２）、サーバ３と相互認証を行う（ｄ１３）。ｄ１２，１３の処理は、図２のｄ５，ｄ６の処理と同様に行う。
【００５２】
相互認証の後、ＩＣカード１ｂは、通信先のＩＣカードについての接続情報をそのＩＤを特定してサーバ３へ要求する（ｄ１４）。
【００５３】
サーバ３は、データベース４に記憶されている接続情報の中から、要求の際に特定されたＩＤに対応する接続情報を検索し（ｄ１５）、検索された接続情報を要求元のＩＣカード１ｂへ通知する（ｄ１６）。
【００５４】
ＩＣカード１ｂは、受け付けた接続情報を用いて通信先のＩＣカードとの通信を開始する（ｄ１７）。
【００５５】
したがって、本実施の形態によれば、ＩＣカード１ａ，１ｂ間でＩＤおよび接続情報を相互に通知し、サーバ３へ接続可能なＩＣカード１により、他のＩＣカードのＩＤと接続情報をサーバ３へ通知するようにしたことで、他のＩＣカードがサーバに直接的に通信できない状態であったとしても、当該他のＩＣカードのＩＤと接続情報をサーバで管理することができる。
【００５６】
また、本実施の形態によれば、ＩＣカード１ａ，１ｂ間でＩＤおよび接続情報を通知するときの通信接続、あるいはＩＣカード１からサーバ３へＩＤおよび接続情報を通知するときの通信接続に際して、それぞれ相互認証を行うようにしたことで、偽造されたＩＣカードからのＩＤと接続情報がサーバ３で記憶されることを排除することができる。
【００５７】
また、本実施の形態によれば、サーバ３により、各ＩＣカード１のＩＤと接続情報とを対応付けてデータベース４に記憶しておき、ＩＣカード１が他のＩＣカードと通信する際に、通信先のＩＣカードの接続情報をそのＩＤを特定してサーバ３に要求することによって、通信先のＩＣカードの現在の接続情報を取得できるようにしたことで、通信先のＩＣカードが接続されている端末装置が過去に変更されたものだとしても、ＩＣカード１は取得した接続情報を用いることによってその通信先のＩＣカードと通信を行うことができる。
【００５８】
また、本実施の形態によれば、ＩＣカード１が通信先のＩＣカードの接続情報をサーバ３に要求する際に、当該ＩＣカード１とサーバ３間で相互認証を行うようにしたことで、偽造されたＩＣカードへ接続情報が漏洩することを防止することができる。
【００５９】
なお、本実施の形態においては、サーバ３が接続されるネットワークの一例として電話網５を用いたが、これに限られるものではない。例えば、サーバ３は、インターネットに接続されるものであってもよいし、電話網とインターネットの双方に接続されるものであってもよい。サーバ３が複数のネットワークに接続される場合には、接続情報に電話網であるかインターネットであるかを示すネットワークの種別をさらに含めるようにしてもよい。
【００６０】
【発明の効果】
以上、説明したように、本発明に係るＩＣカードの接続情報管理システム、接続情報管理方法、ＩＣカード、サーバによれば、ＩＣカードに他のＩＣカードからＩＤおよび接続情報が通知された場合には、当該ＩＣカードがそのＩＤと接続情報をサーバへ通知するようにしたことで、他のＩＣカードがサーバに直接的に通信できない状態であっても、当該他のＩＣカードのＩＤと接続情報をサーバで管理することができる。
【図面の簡単な説明】
【図１】一実施の形態に係るＩＣカードの接続情報管理システムの構成を示すブロック図である。
【図２】ＩＣカードの接続情報をサーバに記憶させるときの処理の一例を示すタイミングチャートである。
【図３】ＩＣカードが他のＩＣカードと通信を行うときの処理の一例を示すタイミングチャートである。
【符号の説明】
１，１ａ，１ｂ　ＩＣカード
２，２ａ，２ｂ　携帯電話
３　サーバ
４　データベース
５　電話網
【図１】
2004013731.tif 000003
【図２】
2004013731.tif 000004
【図３】
2004013731.tif 000005